(57)【要約】 【課題】  定電流駆動方式の記録ヘッドにおいて、定電流駆動方式の定電流源としてのＭＯＳトランジスタでの電圧吸収範囲を低減してサイズアップなどによるコストの上昇を抑え、かつ電力ロスを抑えて素子基板の温度上昇を抑える。【解決手段】  本発明の記録ヘッドは、複数の記録素子と、前記複数の記録素子のそれぞれに対応して設けられた複数のスイッチング素子とを備える。また、前記複数の記録素子に定電流を供給するための定電流源と、前記定電流源を制御することにより前記複数の記録素子に供給される電流を調整する制御手段とを備える。さらに、外部から直接に直流電圧を入力し、前記複数の記録素子に印加するための電圧値に変換して前記複数の記録素子に出力するＤＣ／ＤＣコンバータを備える。また、前記複数の記録素子と、前記複数のスイッチング素子と、前記定電流源と、前記制御手段は、同一の素子基板に設けられており、前記ＤＣ／ＤＣコンバータは、該素子基板と異なる素子基板に設けられている。【選択図】  図１
2009119714.tif 000002
【特許請求の範囲】
【請求項１】
複数の記録素子と、前記複数の記録素子のそれぞれに対応して設けられた複数のスイッチング素子と、を備える記録ヘッドであって、
前記複数の記録素子に定電流を供給するための定電流源と、
前記定電流源を制御することにより前記複数の記録素子に供給される電流を調整する制御手段と、
外部から直接に直流電圧を入力し、前記複数の記録素子に印加するための電圧値に変換して前記複数の記録素子に出力するＤＣ／ＤＣコンバータと、
を備え、
前記複数の記録素子と、前記複数のスイッチング素子と、前記定電流源と、前記制御手段は、同一の素子基板に設けられており、前記ＤＣ／ＤＣコンバータは、該素子基板と異なる素子基板に設けられていることを特徴とする記録ヘッド。
【請求項２】
前記記録素子は、インクを吐出するために熱エネルギーを発生する発熱抵抗素子であることを特徴とする請求項１に記載の記録ヘッド。
【請求項３】
前記定電流源は、ＭＯＳトランジスタであることを特徴とする請求項１又は請求項２に記載の記録ヘッド。
【請求項４】
前記定電流源は、前記複数の発熱抵抗素子を複数のグループに分割したグループごとに設けられることを特徴とする請求項１乃至請求項３のいずれか１項に記載の記録ヘッド。
【請求項５】
前記記録ヘッドの温度を検出する温度センサをさらに備え、
前記制御手段は、前記温度センサにより検出された温度に応じて前記複数の記録素子に供給される電流を調整し、
前記ＤＣ／ＤＣコンバータは、前記複数の記録素子それぞれの抵抗値に基づいた電圧値の電圧を出力することを特徴とする請求項１乃至請求項４のいずれか１項に記載の記録ヘッド。
【請求項６】
前記制御手段は、Ｄ／Ａコンバータを有し、該Ｄ／Ａコンバータにより前記複数の記録素子に供給される電流を調整するためのデータを入力し、
前記ＤＣ／ＤＣコンバータは、Ｄ／Ａコンバータを有し、該Ｄ／Ａコンバータにより前記複数の記録素子に印加するための電圧値に変換するためのデータを入力することを特徴とする請求項１乃至請求項５のいずれか１項に記載の記録ヘッド。
【請求項７】
前記制御手段が前記複数の記録素子に供給される電流を調整するためのデータを入力するためのラインと、前記ＤＣ／ＤＣコンバータが前記複数の記録素子に印加するための電圧値に変換するためのデータを入力するためのラインとは、共通であることを特徴とする請求項６に記載の記録ヘッド。
【請求項８】
複数の記録素子と、前記複数の記録素子のそれぞれに対応して設けられた複数のスイッチング素子と、前記複数の記録素子に定電流を供給するための定電流源と、前記定電流源を制御することにより前記複数の記録素子に供給される電流を調整する制御手段と、を備える記録ヘッドを搭載したヘッドキャリッジを走査し、前記記録ヘッドにより記録媒体に記録を行う記録装置であって、
前記ヘッドキャリッジに直流電圧を出力する出力手段と、
前記ヘッドキャリッジに備えられ、前記出力手段から出力された直流電圧を入力し、前記複数の記録素子に印加するための電圧値に変換して前記複数の記録素子に出力するＤＣ／ＤＣコンバータと、
を備えることを特徴とする記録装置。
【請求項９】
複数の記録素子と、前記複数の記録素子のそれぞれに対応して設けられた複数のスイッチング素子と、前記複数の記録素子に定電流を供給するための定電流源と、前記定電流源を制御することにより前記複数の記録素子に供給される電流を調整する制御手段と、を備える記録ヘッドを有する記録装置であって、
前記記録装置の本体側に、電源部より入力された直流電圧を、前記複数の記録素子に印加するための電圧、前記複数のスイッチング素子に印加するための電圧及び前記記録ヘッドのロジック回路に印加するための電圧の電圧値に変換して、前記複数の記録素子、前記複数のスイッチング素子及び前記ロジック回路に出力するＤＣ／ＤＣコンバータを備えることを特徴とする記録装置。
【請求項１０】
前記複数の記録素子に出力される電圧は、前記複数の記録素子に供給される定電流値をＩｃｓｔ、同時に駆動される記録素子の最大数をｎ、各記録素子において共通する電源ラインの配線抵抗をＲＣ、各記録素子において共通しない電源ラインの配線抵抗をＲＬ、各記録素子の平均の抵抗値をＲＨとし、同時に駆動される記録素子が最大数である場合において前記複数のスイッチング素子が飽和領域で動作するために必要な電圧をＶ、予め定められたマージンとしての電圧をＶａとした場合に、Ｉｃｓｔ×（ｎ×ＲＣ＋ＲＨ＋ＲＬ）＋Ｖ＋Ｖａとなるように前記ＤＣ／ＤＣコンバータにより変換されることを特徴とする請求項９に記載の記録装置。
【発明の詳細な説明】
【技術分野】
【０００１】
本発明はインクを吐出するために必要な熱エネルギーを発生する発熱抵抗素子とそれを駆動するための駆動回路を同一の素子基板上に形成したインクジェット記録ヘッド及びそのインクジェット記録ヘッドを用いた記録装置に関する。
【背景技術】
【０００２】
従来のインクジェット記録装置に搭載される記録ヘッドの発熱抵抗素子とその駆動回路は、半導体プロセス技術を用いて同一の素子基板上に形成されている（例えば特許文献１参照）。その中でも、いわゆる定電流駆動方式と呼ばれる方式で発熱抵抗素子へ電力を供給する技術が開示されている（例えば特許文献２参照）。
【０００３】
図５は、従来の定電流駆動方式を用いた記録ヘッドの素子基板に設けられている駆動制御回路の構成を説明する回路図である。
【０００４】
図５において、１０１ａ１〜１０１ｍｘは記録を行うための発熱抵抗素子を示し、各発熱抵抗素子が通電されて熱を発生することにより、対応する各ノズルからインク滴が吐出される。ここで、これら発熱抵抗素子１０１ａ１〜１０１ｍｘは、グループａ〜ｍに分割されており、各グループにはｘ個の発熱抵抗素子と、各発熱抵抗素子に対応して設けられたｘ個のＭＯＳトランジスタが含まれている。１０２ａ１〜１０２ｍｘは、それぞれ対応する発熱抵抗素子への通電をオン及びオフするためのＭＯＳトランジスタである。１０３ａ〜１０３ｍは定電流源で、グループごとに１つずつ設けられている。１０４は記録データ供給回路で、記録すべき記録データに応じて各ＭＯＳトランジスタ１０２のオン及びオフを制御している。１０５は基準電流回路で、制御信号をライン１１０を介して定電流源１０３ａ〜１０３ｍに出力し、各定電流源により一定の値とされる定電流値を制御している。１０６及び１０７は素子基板外部の電源部（不図示）に接続される電源端子で、これら電源端子を介して発熱抵抗素子駆動用の電力が素子基板に供給される。１０８及び１０９は、それぞれ各電源端子１０６及び１０７からグループａ〜ｍに、発熱抵抗素子駆動用の電力を供給している電源ラインである。
【０００５】
グループａにおいて、ＭＯＳトランジスタ１０２ａ１〜１０２ａｘのそれぞれは、発熱抵抗素子１０１ａ１〜１０１ａｘの対応する各発熱抵抗素子に直列に接続され、その直列に接続されている各発熱抵抗素子への電流の通電及び非通電を制御している。即ち、ＭＯＳトランジスタ１０２ａ１〜１０２ａｘの各ドレイン端子は対応する各発熱抵抗素子１０１ａ１〜１０１ａｘとが接続され、ＭＯＳトランジスタ１０２ａ１〜１０２ａｘの各ソース端子はそれぞれ共通に定電流源１０３ａに接続されている。また、発熱抵抗素子１０１ａ１〜１０１ａｘのそれぞれの一端も共通に電源ライン１０８に接続されている。ここで、ＭＯＳトランジスタ１０２ａ１〜１０２ａｘは、発熱抵抗素子１０１ａ１〜１０１ａｘの第１駆動用スイッチであり、また定電流源１０３ａは、発熱抵抗素子１０１ａ１〜１０１ａｘの第２駆動用スイッチである。このような構成は他のグループｂ〜ｍにおいても同様である。
【０００６】
また、定電流源１０３ａ〜１０３ｍのそれぞれは、ＭＯＳトランジスタ１０２ａ１〜１０２ｍｘと、発熱抵抗素子１０１ａ１〜１０１ｍｘとに直列に接続されている。定電流源１０３ａ〜１０３ｍのそれぞれは、ここを流れる電流を所定の定電流値とし、この定電流値はライン１１０を介して基準電流回路１０５から制御信号を入力することで調節される。
【０００７】
記録データ供給回路１０４は、ＭＯＳトランジスタ１０２ａ１〜１０２ｍｘのそれぞれのゲート端子に、記録する画像に応じた記録データ信号を出力して、ＭＯＳトランジスタ１０２ａ１〜１０２ｍｘのそれぞれのスイッチング制御をしている。
【０００８】
図６は、図５の定電流源１０３ａ〜１０３ｍに相当する部分をＭＯＳトランジスタ１１１ａ〜１１１ｍで構成した回路図である。
【０００９】
これらＭＯＳトランジスタ１１１ａ〜１１１ｍのドレイン端子は、ＭＯＳトランジスタ１０２ａ１〜１０２ｍｘのソース端子にそれぞれ接続される。また、ＭＯＳトランジスタ１１１ａ〜１１１ｍのゲート端子は、基準電流回路１０５から出力される制御信号を入力するためにライン１１０に接続される。
【００１０】
ＭＯＳトランジスタ１１１ａ〜１１１ｍのゲート端子は、基準電流回路１０５から出力される制御信号を入力するためにライン１１０と接続され、ＮＭＯＳトランジスタ１１１ａ〜１１１ｍを流れる定電流が所定の定電流値にされる。この定電流値は、基準電流回路１０５が接続されるＭＯＳトランジスタ１１１ａ〜１１１ｍのゲート電圧により制御される。
【００１１】
例えば、同時に駆動される発熱抵抗素子数を増やすことで、素子基板内の配線抵抗とその配線抵抗のバラツキが増加し、各発熱抵抗素子に印加される電圧の変動割合が増加する場合がある。しかし、このような構成をとることで、各発熱抵抗素子への投入エネルギー量をほぼ一定にすることができる。また、素子基板外部の配線は、複数の発熱抵抗素子に対して共通となっているため、同時に駆動する発熱抵抗素子数によって共通の配線での電圧降下が異なった場合でも、各発熱抵抗素子への投入エネルギー量をほぼ一定にすることができる。さらに、記録ヘッドに電力を供給する外部電源装置に電圧変動が発生した場合においても、各発熱抵抗素子への投入エネルギー量をほぼ一定にすることができる。
【００１２】
このように定電流駆動方式を用いることにより種々の要因により変動する各発熱抵抗素子への投入エネルギー量をほぼ一定にすることが可能になる。これは、定電流源としてのＭＯＳトランジスタ１１１ａ〜１１１ｍのゲート端子に入力される電流が基準電流回路１０５により制御され、ＭＯＳトランジスタ１１１ａ〜１１１ｍのオン抵抗が変動することによる電圧変動分を吸収することができるためである。
【００１３】
また、上述した電圧変動の他にも、例えば、記録ヘッドごとに発熱抵抗素子の抵抗値が異なる記録ヘッドを製造してしまうことにより、記録ヘッドごとに発熱抵抗素子で発生する電力が異なってしまう場合がある。この場合、常に一定の電流を発熱抵抗素子に供給する定電流駆動方式では、記録ヘッドごとに発熱抵抗素子の抵抗値の違いに伴って発生するエネルギーも異なってしまうことになる。このことを解決するために、図７に示すようにＤ／Ａコンバータを設けて外部から信号を入力することにより定電流回路が流す電流値を設定できるようにした構成がある。即ち、図７において、端子７０２及び７０３からデジタル信号でシリアルに電流値設定データをＤ／Ａコンバータ７０１に入力し、これに基づいてＤ／Ａコンバータ７０１が発生する電圧を基準電流回路１０５へ供給する。この電圧がＭＯＳトランジスタ１１１ａ〜１１１ｍのゲート電圧の反映されて、最終的に所望の電流値の電流が各発熱抵抗素子に供給される。こうして、予め取得しておいた発熱抵抗素子の抵抗値に基づいた最適な設定電流による定電流駆動が行なわれる。
【００１４】
また、Ｄ／Ａコンバータによる電流値の設定は全て同じ素子基板に形成された回路で行われるため、電流値の設定を高速に変えることができる。このため、何らかの要因で記録中に発熱抵抗素子への投入エネルギーを変えたいという場合においても、電流値の設定を変えることができる。例えば、記録中に記録ヘッドの温度が変化した場合、インクの吐出特性を一定に保つため発熱抵抗素子への通電時間を制御することが一般的に行われるが、その替わりに発熱抵抗素子に流れる電流値を変化させることでインクの吐出特性を一定に保つことができる。
【特許文献１】米国特許第６２９０３３４号公報
【特許文献２】特開２００４−１８１６７９号公報
【発明の開示】
【発明が解決しようとする課題】
【００１５】
しかしながら、上述したような種々の要因による電圧変動や発熱抵抗素子への投入エネルギーを変えたいという要求に対応するためには、定電流源としてのＭＯＳトランジスタが吸収する電圧変動の範囲が非常に大きいものになってしまう。これに対応するために例えばＭＯＳトランジスタのサイズを大きくする必要があるが、このことは回路サイズの増大を招きコストアップの要因となる。またこのＭＯＳトランジスタが吸収する電圧はそのオン抵抗によって電力として消費されるため、無駄な電力を消費することになる。このことは電力のロスになるばかりではなく記録ヘッドの温度の上昇を招き安定したインク吐出の妨げとなる。
【００１６】
また、変動する電圧の範囲が大きくなるとＤ／Ａコンバータによる電流値の設定範囲も大きくなるため同じ分解能のＤ／Ａコンバータでは最小変動幅が大きくなり設定電流の精度が粗くなってしまう。一方、最小変動幅を同じにするためには分解能を上げることが必要になるため、Ｄ／Ａコンバータ自体のサイズが増大してしまう。
【００１７】
さらに、ＭＯＳトランジスタが吸収する電圧変動の範囲が大きくなると、発熱抵抗素子にかかる電圧は常に一定であり発熱抵抗素子とＭＯＳトランジスタは直列に接続されているので、電源とＧＮＤ間にかかる電圧がそれに比例して大きくなることになる。この電圧があまり大きくなるとＭＯＳトランジスタの耐圧を超えてしまう。ＭＯＳトランジスタの耐圧を上げるためには製造工程の複雑化やトランジスタサイズの増大を招きコストアップの要因となる。
【００１８】
そこで、本発明の目的は、定電流駆動方式の定電流源としてのＭＯＳトランジスタでの電圧吸収範囲を低減してサイズアップなどによるコストの上昇を抑え、かつ電力ロスを抑えて素子基板の温度上昇を抑える記録ヘッドを提供することである。また、その記録ヘッドを用いた記録装置を提供することである。
【課題を解決するための手段】
【００１９】
上記課題を解決するための本発明は、複数の記録素子と、前記複数の記録素子のそれぞれに対応して設けられた複数のスイッチング素子と、を備える記録ヘッドであって、
前記複数の記録素子に定電流を供給するための定電流源と、
前記定電流源を制御することにより前記複数の記録素子に供給される電流を調整する制御手段と、
外部から直接に直流電圧を入力し、前記複数の記録素子に印加するための電圧値に変換して前記複数の記録素子に出力するＤＣ／ＤＣコンバータと、
を備え、
前記複数の記録素子と、前記複数のスイッチング素子と、前記定電流源と、前記制御手段は、同一の素子基板に設けられており、前記ＤＣ／ＤＣコンバータは、該素子基板と異なる素子基板に設けられていることを特徴とする。
【００２０】
また、上記課題を解決するための別の本発明は、複数の記録素子と、前記複数の記録素子のそれぞれに対応して設けられた複数のスイッチング素子と、前記複数の記録素子に定電流を供給するための定電流源と、前記定電流源を制御することにより前記複数の記録素子に供給される電流を調整する制御手段と、を備える記録ヘッドを搭載したヘッドキャリッジを走査し、前記記録ヘッドにより記録媒体に記録を行う記録装置であって、
前記ヘッドキャリッジに直流電圧を出力する出力手段と、
前記ヘッドキャリッジに備えられ、前記出力手段から出力された直流電圧を入力し、前記複数の記録素子に印加するための電圧値に変換して前記複数の記録素子に出力するＤＣ／ＤＣコンバータと、
を備えることを特徴とする。
【００２１】
さらに、上記課題を解決するための別の本発明は、複数の記録素子と、前記複数の記録素子のそれぞれに対応して設けられた複数のスイッチング素子と、前記複数の記録素子に定電流を供給するための定電流源と、前記定電流源を制御することにより前記複数の記録素子に供給される電流を調整する制御手段と、を備える記録ヘッドを有する記録装置であって、
前記記録装置の本体側に、電源部より入力された直流電圧を、前記複数の記録素子に印加するための電圧、前記複数のスイッチング素子に印加するための電圧及び前記記録ヘッドのロジック回路に印加するための電圧の電圧値に変換して、前記複数の記録素子、前記複数のスイッチング素子及び前記ロジック回路に出力するＤＣ／ＤＣコンバータを備えることを特徴とする。
【発明の効果】
【００２２】
本発明によれば、定電流駆動方式の定電流源としてのＭＯＳトランジスタでの電圧吸収範囲を低減してサイズアップなどによるコストの上昇を抑え、かつ電力ロスを抑えて素子基板の温度上昇を抑えることで安定したインク吐出をすることができる。
【発明を実施するための最良の形態】
【００２３】
以下に、図面を参照して本発明の好適な実施例について詳細に説明する。
【００２４】
なお、この明細書において、「記録」（以下、「プリント」とも称する）とは、文字、図形等有意の情報を形成する場合のみならず、有意無意を問わず、広く記録媒体上に画像、模様、パターン等を形成する、又は媒体の加工を行う場合も表すものとする。また、人間が視覚で知覚し得るように顕在化したものであるか否かを問わない。
【００２５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２６】
また、「インク」とは、上記「記録」の定義と同様広く解釈されるべきもので、記録媒体上に付与されることによって、画像、模様、パターン等の形成又は記録媒体の加工、或いはインクの処理に供され得る液体を表すものとする。インクの処理としては、例えば記録媒体に付与されるインク中の色剤の凝固又は不溶化させることが挙げられる。
【００２７】
まず、本発明を適用可能なインクジェット記録ヘッドの概要について説明する。
【００２８】
本実施例のインクジェット用の記録ヘッドＩＪＨは、図８（ａ）及び図８（ｂ）の斜視図でわかるように、記録ヘッドカートリッジＩＪＣを構成する一構成要素となっている。この記録ヘッドカートリッジＩＪＣは、記録ヘッドＩＪＨと、該記録ヘッドＩＪＨに着脱自在に設けられたインクタンクＩＴ（Ｈ１９０１，Ｈ１９０２，Ｈ１９０３，Ｈ１９０４）とから構成されている。記録ヘッドＩＪＨは、インクタンクＩＴから供給されるインク（記録液）を、記録情報に応じて吐出口から吐出する。
【００２９】
この記録ヘッドカートリッジＩＪＣは、インクジェット記録装置本体に載置されているヘッドキャリッジ２００の位置決め手段及び電気的接点によって固定支持されるとともに、ヘッドキャリッジ２００に対して着脱可能となっている。
【００３０】
また、図９の分解斜視図に示すように、記録ヘッドＩＪＨは、記録素子としての発熱抵抗素子を複数備えた発熱抵抗素子ユニットＨ１００２と、インク供給ユニット（記録液供給手段）Ｈ１００３と、タンクホルダーＨ２０００とから構成されている。なお、記録ヘッドＩＪＨは、発熱抵抗素子ユニットＨ１００２のインク連通口とインク供給ユニットＨ１００３のインク連通口とをインクがリークしないように連通させる必要がある。このため、それぞれの部材を圧着するようジョイントシール部材Ｈ２３００を介してビスＨ２４００で固定している。
【００３１】
また、図１０の分解斜視図に示すように、素子基板Ｈ１１００は、第１のプレートＨ１２００に接着され固定されている。さらに、第１のプレートＨ１２００は、開口部を有する第２のプレートＨ１４００が接着され固定されている。そして、この第２のプレートＨ１４００は、ＴＡＢ方式によって、電気配線テープＨ１３００が接着され固定されており、素子基板Ｈ１１００に対しての位置が決められている。この電気配線テープＨ１３００は、素子基板Ｈ１１００にインクを吐出するための電気信号を印加するものであり、素子基板Ｈ１１００に対応する電気配線を含む。そして、電気配線テープＨ１３００は、インクジェット記録装置本体からの電気信号を受け取る外部信号入力端子Ｈ１３０１を有する電気コンタクト基板Ｈ２２００と接続している。電気コンタクト基板Ｈ２２００は、インク供給ユニットＨ１００３に、端子位置決め穴Ｈ１３０９（２ヶ所）により位置が決められ、固定されている。
【００３２】
次に、上述したようなカートリッジタイプの記録ヘッドを搭載可能な液体吐出記録装置について説明する。図１１は、本発明のインクジェット記録ヘッドを搭載可能な記録装置の一例を示す説明図である。
【００３３】
図１１を参照すると、この記録装置は、図８に示した記録ヘッドＩＪＨが、位置決めされて、交換可能に搭載されるヘッドキャリッジ２００を有する。ヘッドキャリッジ２００には、記録ヘッドＩＪＨ上の外部信号入力端子を介して各吐出部に駆動信号等を伝達するための電気接続部が設けられている。
【００３４】
ヘッドキャリッジ２００は、走査方向に延在して装置本体に設置されたガイドシャフト１１０３に沿って往復移動可能に支持されている。そして、ヘッドキャリッジ２００は、走査モータ１１０４によりモータプーリ１１０５、従動プーリ１１０６及びタイミングベルト１１０７等の駆動機構を介して駆動されるとともに、その位置及び移動が制御される。また、ヘッドキャリッジ２００にはホームポジションセンサ１１３０が設けられている。ヘッドキャリッジ２００上のホームポジションセンサ１１３０が遮蔽板１１３６の位置を通過した際に、ホームポジションとなる位置が検出される。
【００３５】
記録用紙やプラスチック薄板等の記録媒体１１０８は、給紙モータ１１３５がギアを介してピックアップローラ１１３１を回転させることにより、記録媒体１１０８がオートシートフィーダ（ＡＳＦ）１１３２から一枚ずつ分離され、給紙される。さらに、記録媒体１１０８は、搬送ローラ１１０９の回転により、記録ヘッドＩＪＨの吐出口面と対向する位置（プリント部）を通って搬送される。ＬＦモータ１１３４による駆動は、ギアを介して搬送ローラ１１０９に伝達される。給紙されたかどうかの判定と給紙時の頭出し位置の確定は、記録媒体１１０８がペーパエンドセンサ１１３３を通過した時点で行われる。このペーパエンドセンサ１１３３は、記録媒体１１０８の後端が実際にどこに有り、実際の後端から現在の記録位置を最終的に割り出すためにも使用される。
【００３６】
次に、上述したインクジェット記録装置の記録制御を実行するための制御構成について説明する。
【００３７】
図１２はインクジェット記録装置の制御回路の構成を示すブロック図である。
【００３８】
図１２において、１７００は記録信号を入力するインタフェース、１７０１はＭＰＵ、１７０２はＭＰＵ１７０１が実行する制御プログラムを格納するＲＯＭである。また、１７０３は各種データ（記録ヘッドＩＪＨに供給される記録信号等）を保存しておくＤＲＡＭである。１７０４は記録ヘッドＩＪＨに対する記録データの供給制御を行うゲートアレイ（Ｇ．Ａ．）であり、インタフェース１７００、ＭＰＵ１７０１、ＲＡＭ１７０３間のデータ転送制御も行う。１７１０は記録ヘッドＩＪＨを搬送するためのキャリアモータ、１１３４は記録媒体搬送のためのＬＦモータである。１７０５は記録ヘッドＩＪＨを駆動するヘッドドライバ、１７０６は、搬送モータ１７０９を駆動するためのモータドライバ、１７０７は、キャリアモータ１７１０を駆動するためのモータドライバである。なお、記録ヘッドＩＪＨには、記録ヘッドＩＪＨの温度を検出する温度センサ１７２０が備えられている。
【００３９】
上記制御構成の動作を説明すると、インタフェース１７００に記録データが入力されるとゲートアレイ１７０４とＭＰＵ１７０１との間でこの記録データがプリント用の記録データに変換される。そして、モータドライバ１７０６、モータドライバ１７０７が駆動されると共に、ヘッドドライバ１７０５に送られた記録データに従って記録ヘッドＩＪＨが駆動され、記録が行われる。
【実施例１】
【００４０】
図１は、本実施例のインクジェット記録ヘッドの要部を説明するブロック図である。
【００４１】
１００は素子基板であり、図７の素子基板１００と同じ構成であるため、詳しい説明は省略する。素子基板１００は、電源端子１０６及び１０７によりＤ／Ａコンバータ１５１により外部から直接に直流電圧を入力するＤＣ／ＤＣコンバータ１５０と接続されている。なお、１５２及び１５３はそれぞれＤＣ／ＤＣコンバータ１５０から出力されるＶＨ電源及びＧＮＤＨの電源端子を示し、１６２及び１６３はこれらの電源ラインを示している。また、１５４及び１５５はＤ／Ａコンバータ１５１にデータを供給するための端子を示している。
【００４２】
図２（ａ）及び図２（ｂ）は、本実施例をさらに説明するためのブロック図である。
【００４３】
ヘッドキャリッジ２００は素子基板１００とＤＣ／ＤＣコンバータ１５０を備えており、２１０はこれらを駆動する記録装置本体側の本体メイン基板である。なお、ＤＣ／ＤＣコンバータ１５０は、記録ヘッド上に設けられていても、記録ヘッドとは別にヘッドキャリッジ上に設けられていてもいずれでも良い。図２（ａ）は、ＤＣ／ＤＣコンバータ１５０が記録ヘッドＩＪＨ上に設けられた記録装置を、図２（ｂ）は、ＤＣ／ＤＣコンバータ１５０が記録ヘッドＩＪＨとは別にヘッドキャリッジ２００上に設けられた記録装置を表している。下記の説明は、図２（ａ）についての説明であるが、図２（ｂ）についても同様である。２１１は本体側に配設された電源であり２１２及び２１３の電源ラインを通じてＤＣ／ＤＣコンバータ１５０へ電圧を供給する。２１４は、ＤＣ／ＤＣコンバータ１５０が所望の電圧値を得るためのデータを生成し、ライン２１６を介してＤ／Ａコンバータ１５１にシリアルに入力するデータ生成部である。また、２１５は、基準電流回路１０５に接続されたＤ／Ａコンバータ７０１が定電流駆動を行うための所望の電流値を得るためのデータを生成し、ライン２１７を介してＤ／Ａコンバータ７０１にシリアルに入力するデータ生成部である。なお、ライン２１６は端子１５４及び１５５に接続される２本のラインであり、ライン２１７は端子７０２及び７０３に接続される２本のラインである。
【００４４】
このような構成をとることで定電流駆動を行うための電流値の設定とＤＣ／ＤＣコンバータ１５０の電圧値の設定とを並行して行うことができるようになる。
【００４５】
ここで、Ｄ／Ａコンバータを用いての定電流駆動を行うための電流値の設定は、全て同じ素子基板に形成された回路により行なわれるため、異なる電流値に設定して駆動することを高速に行うことができるという特徴を有している。このため、刻々と変化する記録データに対応して変動する同時オンの発熱抵抗素子数に起因する発熱抵抗素子で消費する電力の変動を抑えることが可能になる。また、記録ヘッドの急激な温度変化によってインクの吐出特性に変動が生じた場合にも、瞬時に設定電流値を調整することにより安定したインクの吐出を継続することも可能になる。
【００４６】
ＤＣ／ＤＣコンバータの電圧値の設定は、素子基板外部のヘッドキャリッジ上に設けられた大容量のコンデンサを充放電するスイッチングレギュレータにより行なわれる。このため、ＤＣ／ＤＣコンバータの電圧値の設定による電圧の変化は定電流回路の電流変化に比較すると長い時間がかかるという特徴を有している。定電流駆動を行う場合、発熱抵抗素子での電力消費を一定に保つために定電流源となるＭＯＳトランジスタで電圧を吸収し電力を消費するため、このことにより発生する熱が大きいと記録ヘッド自体を昇温してしまう場合がある。しかし、ＤＣ／ＤＣコンバータは同一基板上に設けられておらず、ＤＣ／ＤＣコンバータは素子基板外部で電圧を変化させるため、記録ヘッドの昇温を起こすことはなく吐出特性に影響を与えにくいという特徴を有している。
【００４７】
そこで本発明では、定電流源を用いて駆動することによって変動電圧を吸収することと、ＤＣ／ＤＣコンバータによって電圧値を設定することとを併用し、それぞれの特徴を最大限に発揮する構成としている。即ち、例えば記録データによって刻々と変化する同時オンする発熱抵抗素子数による電圧変動や記録ヘッドの急激な温度変化によって生じる電圧変動などの比較的時間的な変動が速い要因に対しては、定電流駆動によってインクの吐出特性の変動を抑制する。また、例えば記録ヘッド間での発熱抵抗素子の抵抗の違いによって生じる記録ヘッド間での電圧変動などの比較的時間的な変動が遅い要因に対しては、ＤＣ／ＤＣコンバータによる電圧値の設定によってインクの吐出特性の変動を抑制する。加えて、本体メイン基板から供給される電源電圧の変動に対しては、ＤＣ／ＤＣコンバータで安定した電圧に変換することでインクの吐出特性の変動を抑制する。
【００４８】
なお、本実施例では、定電流源としてのＭＯＳトランジスタは、複数の発熱抵抗素子を複数のグループに分割したグループごとに設けられているが、このような構成に限定されない。
【実施例２】
【００４９】
図３は、本実施例のインクジェット記録ヘッドの要部を説明するブロック図である。
【００５０】
図３は、実施例1の本体メイン基板２１０からＤ／Ａコンバータ１５１及びＤ／Ａコンバータ７０１にデータを供給するためのライン２１６及び２１７を共通化してライン３０１及び３０２とした例である。このこと以外は実施例１と共通する。
【００５１】
Ｄ／Ａコンバータ１５１及びＤ／Ａコンバータ７０１にデータを供給するためのラインを共通化することで、個別にラインを設けた実施例１の記録ヘッドよりもライン数を低減することができる。
【実施例３】
【００５２】
図４は、ＤＣ／ＤＣコンバータをインクジェット記録装置本体側に備えたインクジェット記録装置を示す図である。
【００５３】
本実施例のインクジェット記録装置の記録ヘッドＩＪＨは、メモリを備えている。このメモリには、定電流駆動させるための記録データ供給回路１０４の各ロジック回路のロジック電圧より高く発熱抵抗素子の駆動電圧より低いスイッチング素子（発熱抵抗素子を駆動するＭＯＳトランジスタ）の駆動電圧についての情報が格納されている。また、このメモリには発熱抵抗素子の駆動時間に関する情報が格納されている。また、記録ヘッドＩＪＨは、素子基板の温度を測定できる温度センサを備え、この温度センサで測定された温度に基づいて記録ヘッドの駆動を制御することが可能な構成となっている。
【００５４】
前述のとおり、記録ヘッドごとに発熱抵抗素子の抵抗値が異なる記録ヘッドを製造してしまう場合がある。具体的には、２０％〜３０％の抵抗値の違いが生じる場合がある。このような抵抗値の違いに起因して、所定の電流値による定電流駆動を行うとスイッチング素子で大きな電力のロスが発生する場合がある。発熱抵抗素子の抵抗値が小さい場合に余分な電圧を記録ヘッドに供給することになるためであり、記録ヘッドのパフォーマンスにも影響を及ぼす。
【００５５】
本実施例では、ＤＣ／ＤＣコンバータ１５０から発熱抵抗素子１０１に供給する駆動電圧ＶＨを制御することにより電力のロスを低減し、省エネルギーを達成している。また、ＤＣ／ＤＣコンバータ１５０により、電源部から入力した直流電圧を変換して、スイッチング素子の駆動電圧、各ロジック回路の駆動電圧も同時に制御している。ここで、定電流値をＩｃｓｔ、同時に駆動される発熱抵抗素子の最大数をｎ、各発熱抵抗素子において共通する電源ラインの配線抵抗をＲＣ、各発熱抵抗素子において共通しない電源ラインの配線抵抗をＲＬ、発熱抵抗素子の抵抗値をＲＨとする。また、同時に駆動される発熱抵抗素子が最大数である場合において発熱抵抗素子を駆動するＭＯＳトランジスタが飽和領域で動作するために必要な電圧をＶ、予め定められたマージンとしての電圧をＶａとする。そして、発熱抵抗素子の駆動電圧ＶＨを、Ｉｃｓｔ×（ｎ×ＲＣ＋ＲＨ＋ＲＬ）＋Ｖ＋Ｖａとしている。なお、ここでは、Ｖａは１Ｖ程度の電圧としている。また、発熱抵抗素子の抵抗値ＲＨは、各発熱抵抗素子の平均の抵抗値とすることができる。
【００５６】
また本実施例では、記録ヘッドの温度もモニタできることから記録ヘッドの温度に応じて、ＤＣ／ＤＣコンバータ１５０及びＤＣ／ＤＣコンバータ・記録ヘッド制御部などにて、記録ヘッドＩＪＨへの投入エネルギー及び発熱抵抗素子の駆動時間を最適化できる。そのため、高速で高画質な記録が可能なインクジェット記録装置を実現できる。
【図面の簡単な説明】
【００５７】
【図１】実施例１のインクジェット記録ヘッドのブロック図である。
【図２】実施例１のインクジェット記録ヘッドのブロック図である。
【図３】実施例２のインクジェット記録ヘッドのブロック図である。
【図４】本発明の記録ヘッドを搭載した実施例３のインクジェット記録装置のブロック図である。
【図５】本発明の従来例を示すインクジェット記録ヘッドのブロック図
【図６】本発明の従来例を示すインクジェット記録ヘッドのブロック図
【図７】本発明の従来例を示すインクジェット記録ヘッドのブロック図
【図８】一般的なインクジェット記録ヘッドの斜視図である。
【図９】一般的なインクジェット記録ヘッドの斜視図である。
【図１０】一般的なインクジェット記録ヘッドの斜視図である。
【図１１】本発明のインクジェット記録装置の一例を示す模式図である。
【図１２】本発明のインクジェット記録装置の制御構成を示す図である。
【符号の説明】
【００５８】
１０１  発熱抵抗素子
１０２  ＭＯＳトランジスタ
１０５  基準電流回路
１１１  ＭＯＳトランジスタ
１５０  ＤＣ／ＤＣコンバータ
１５１  Ｄ／Ａコンバータ
７０１  Ｄ／Ａコンバータ
ＩＪＨ  記録ヘッド
【図１】
2009119714.tif 000003
【図２】
2009119714.tif 000004
【図３】
2009119714.tif 000005
【図４】
2009119714.tif 000006
【図５】
2009119714.tif 000007
【図６】
2009119714.tif 000008
【図７】
2009119714.tif 000009
【図８】
2009119714.tif 000010
【図９】
2009119714.tif 000011
【図１０】
2009119714.tif 000012
【図１１】
2009119714.tif 000013
【図１２】
2009119714.tif 000014